(57)【要約】  本発明の一態様は、アップリンクキャリアアグリゲーション機能を有するユーザ装置であって、基地局との無線通信を制御する無線通信制御部と、測位システムから受信した無線信号に基づく無線測位機能を実行する無線測位部と、アップリンクキャリアアグリゲーションが設定されているとき、前記無線測位機能の起動又は停止を基地局に報告する無線測位状態報告部とを有するユーザ装置に関する。
2016072443.tif 000002
【特許請求の範囲】
【請求項１】
アップリンクキャリアアグリゲーション機能を有するユーザ装置であって、
基地局との無線通信を制御する無線通信制御部と、
測位システムから受信した無線信号に基づく無線測位機能を実行する無線測位部と、
アップリンクキャリアアグリゲーションが設定されているとき、前記無線測位機能の起動又は停止を基地局に報告する無線測位状態報告部と、
を有するユーザ装置。
【請求項２】
前記無線測位状態報告部は、前記基地局からの指示によって起動又は停止される、請求項１記載のユーザ装置。
【請求項３】
前記無線測位状態報告部は更に、前記測位システム、前記測位システムの受信中心周波数及び前記測位システムの受信帯域幅を前記基地局に報告する、請求項１又は２記載のユーザ装置。
【請求項４】
前記無線測位機能のための送信電力の低減を前記基地局から指示されると、前記無線通信制御部は、前記無線測位機能の起動中に前記送信電力を低減して、前記基地局とのアップリンクキャリアアグリゲーション通信を実行する、請求項１乃至３何れか一項記載のユーザ装置。
【請求項５】
前記無線通信制御部は、複数のコンポーネントキャリア上でアップリンクリソースが割り当てられている場合、緊急呼中にセカンダリセルのアップリンク送信を中止する自律送信中止機能を有し、
前記無線通信制御部は、前記基地局からの起動許可によって前記自律送信中止機能を起動する、請求項１乃至４何れか一項記載のユーザ装置。
【請求項６】
アップリンクキャリアアグリゲーション機能を有する基地局であって、
ユーザ装置との無線通信を制御する無線通信制御部と、
測位システムから受信した無線信号に基づく無線測位機能の起動又は停止を報告する前記ユーザ装置に対する無線測位報告機能を制御する無線測位報告制御部と、
アップリンクキャリアアグリゲーションにおいて前記測位システムからの無線信号と干渉を生じさせる周波数帯域を前記ユーザ装置に設定しているとき、前記無線測位報告制御部は、前記ユーザ装置に前記無線測位報告機能を起動させる基地局。
【請求項７】
前記ユーザ装置に対するアップリンクキャリアアグリゲーションの設定を削除するとき、又は前記干渉を生じさせる周波数帯の設定を削除するとき、前記無線測位報告制御部は、前記ユーザ装置に前記無線測位報告機能を停止させる、請求項６記載の基地局。
【請求項８】
前記ユーザ装置から前記無線測位機能の起動の報告を受信すると、前記無線通信制御部は、前記干渉を回避するよう前記ユーザ装置との無線通信を制御する、請求項６又は７記載の基地局。
【請求項９】
前記無線通信制御部は、前記無線測位機能の起動中にあるリソースブロック数以上でアップリンクデータを送信する場合に低減すべき送信電力を前記ユーザ装置に通知する、請求項６乃至８何れか一項記載の基地局。
【請求項１０】
前記無線測位報告制御部は、複数のコンポーネントキャリア上でアップリンクリソースが割り当てられている場合、前記ユーザ装置が緊急呼中にセカンダリセルのアップリンク送信を中止する自律送信中止機能の起動を許可する、請求項６乃至９何れか一項記載の基地局。
【請求項１１】
ユーザ装置と基地局との間のアップリンクキャリアアグリゲーション通信方法であって、
前記基地局が、アップリンクキャリアアグリゲーションにおいて測位システムからの無線信号と干渉を生じさせる周波数帯域を前記ユーザ装置に設定するステップと、
前記基地局が、前記測位システムから受信した無線信号に基づく無線測位機能の起動又は停止を報告する無線測位報告機能を前記ユーザ装置に起動させるステップと、
前記ユーザ装置が、前記無線測位機能の起動を前記基地局に報告するステップと、
前記基地局が、前記干渉を回避するよう前記ユーザ装置との無線通信を制御するステップと、
を有するアップリンクキャリアアグリゲーション通信方法。
【請求項１２】
アップリンクキャリアアグリゲーション機能を有するユーザ装置であって、
基地局との無線通信を制御する無線通信制御部と、
アップリンクキャリアアグリゲーションにより干渉を受ける被干渉システムのシステム情報を前記基地局に報告する被干渉システム情報報告部と、
を有するユーザ装置。
【請求項１３】
前記システム情報は、前記被干渉システムの中心周波数及び受信帯域幅を含む、請求項１２記載のユーザ装置。
【請求項１４】
アップリンクキャリアアグリゲーション機能を有するユーザ装置であって、
基地局との無線通信を制御する無線通信制御部と、
アップリンク干渉の原因を前記基地局に通知する干渉原因通知部と、
を有するユーザ装置。
【請求項１５】
前記アップリンク干渉の原因は、アップリンクキャリアアグリゲーションにより生じる相互変調歪み、又はシングルキャリアアップリンク送信の高調波である、請求項１４記載のユーザ装置。
【発明の詳細な説明】
【技術分野】
【０００１】
本発明は、無線通信システムに関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において、ＬＴＥ（Ｌｏｎｇ  Ｔｅｒｍ  Ｅｖｏｌｕｔｉｏｎ）システム及びＬＴＥ−Ａｄｖａｎｃｅｄシステムの高機能化が図られている。現在、キャリアアグリゲーション技術をアップリンク通信に適用するアップリンクキャリアアグリゲーション（Ｕｐｌｉｎｋ  Ｃａｒｒｉｅｒ  Ａｇｇｒｅｇａｔｉｏｎ：ＵＬ  ＣＡ）の導入が検討されている。アップリンクキャリアアグリゲーションでは、ユーザ装置（Ｕｓｅｒ  Ｅｑｕｉｐｍｅｎｔ：ＵＥ）が複数のコンポーネントキャリア（Ｃｏｍｐｏｎｅｎｔ  Ｃａｒｒｉｅｒ：ＣＣ）を同時に利用して、基地局（ｅｖｏｌｖｅｄ  ＮｏｄｅＢ：ｅＮＢ）にアップリンク信号を送信する。
【先行技術文献】
【非特許文献】
【０００３】
【非特許文献１】３ＧＰＰ  ＴＳ３６．３００  Ｖ１２．３．０（２０１４−０９）
【非特許文献２】３ＧＰＰ  ＴＳ３６．３３１  Ｖ１２．３．０（２０１４−０９）
【非特許文献３】３ＧＰＰ  Ｒ４−１４８１１７
【発明の概要】
【発明が解決しようとする課題】
【０００４】
スマートフォンやタブレットなどのユーザ装置は、典型的には、基地局との通信中にＧＰＳ（Ｇｌｏｂａｌ  Ｐｏｓｉｔｉｏｎｉｎｇ  Ｓｙｓｔｅｍ）などのＧＮＳＳ（Ｇｌｏｂａｌ  Ｎａｖｉｇａｔｉｏｎ  Ｓａｔｅｌｌｉｔｅ  Ｓｙｓｔｅｍ）や他の無線システムと無線通信を行っている。アップリンクキャリアアグリゲーションの設定中にユーザ装置が複数のキャリアで無線信号を同時送信する場合、キャリア周波数の組み合わせにより、アップリンクキャリアアグリゲーションにより生じる相互変調歪み（Ｉｎｔｅｒ−Ｍｏｄｕｌａｔｉｏｎ  Ｄｉｓｔｏｒｔｉｏｎ：ＩＭＤ）がＧＮＳＳなどの他の無線通信システムの受信帯域に落ちるケースがある。例えば、アップリンクキャリアアグリゲーションにおいて、８００ＭＨｚ帯域と１．７ＧＨｚ帯域とが同時使用される場合、５次の相互変調歪み（ＩＭＤ５）が１５３５〜１６１５ＭＨｚ帯域に発生することが知られている。図１に示されるように、このＩＭＤ５の発生領域は各種ＧＮＳＳ信号の受信帯域と重複するため、ユーザ装置内のデバイス間に干渉が生じる。この結果、アップリンクキャリアアグリゲーションの実行中は、ユーザ装置はＧＮＳＳ信号を受信することができず、位置情報を取得できなくなる。【０００５】
このような問題を解決するため、アップリンクキャリアアグリゲーションの実行中にユーザ装置において無線測位機能が起動された場合、干渉の発生を防ぐための基地局による制御が検討されている。例えば、ユーザ装置が複数のキャリアで同時送信するとき、基地局は、ＧＮＳＳ信号との干渉を生じさせないリソースブロックをスケジューリングし、当該リソースブロックでユーザ装置にアップリンクデータを送信させてもよい。また、アップリンクキャリアアグリゲーションが設定されている場合であっても、基地局は、ユーザ装置に１つのキャリアのみでアップリンクデータを送信させてもよい。また、基地局は、アップリンクキャリアアグリゲーションの設定を削除してもよい。また、基地局は、セカンダリセル（ＳＣｅｌｌ）を非アクティブ状態にしてもよい。また、基地局は、Ａ−ＭＰＲ（Ａｄｄｉｔｉｏｎａｌ−Ｍａｘｉｍｕｍ  Ｐｏｗｅｒ  Ｒｅｄｕｃｔｉｏｎ）などによってユーザ装置に送信電力を低減させてもよい。【０００６】
一方、これらの制御を実施するためには、基地局は、ユーザ装置が無線測位機能を起動（オン）又は停止（オフ）したか認識している必要がある。しかしながら、従来のＬＴＥシステム又はＬＴＥ−Ａｄｖａｎｃｅｄシステムでは、ユーザ装置における無線測位機能の起動／停止を基地局が認識するための手段は検討されていない。また、無線測位機能の起動時のみユーザ装置の送信電力を低減する制御も検討されていない。【０００７】
上述した問題点を鑑み、本発明の課題は、アップリンクキャリアアグリゲーション通信中に無線測位を実現するための技術を提供することである。
【課題を解決するための手段】
【０００８】
上記課題を解決するため、本発明の一態様は、アップリンクキャリアアグリゲーション機能を有するユーザ装置であって、基地局との無線通信を制御する無線通信制御部と、測位システムから受信した無線信号に基づく無線測位機能を実行する無線測位部と、アップリンクキャリアアグリゲーションが設定されているとき、前記無線測位機能の起動又は停止を基地局に報告する無線測位状態報告部とを有するユーザ装置に関する。【０００９】
本発明の他の態様は、アップリンクキャリアアグリゲーション機能を有する基地局であって、ユーザ装置との無線通信を制御する無線通信制御部と、測位システムから受信した無線信号に基づく無線測位機能の起動又は停止を報告する前記ユーザ装置に対する無線測位報告機能を制御する無線測位報告制御部と、アップリンクキャリアアグリゲーションにおいて前記測位システムからの無線信号と干渉を生じさせる周波数帯域を前記ユーザ装置に設定しているとき、前記無線測位報告制御部は、前記ユーザ装置に前記無線測位報告機能を起動させる基地局に関する。【００１０】
本発明の更なる他の態様は、ユーザ装置と基地局との間のアップリンクキャリアアグリゲーション通信方法であって、前記基地局が、アップリンクキャリアアグリゲーションにおいて測位システムからの無線信号と干渉を生じさせる周波数帯域を前記ユーザ装置に設定するステップと、前記基地局が、前記測位システムから受信した無線信号に基づく無線測位機能の起動又は停止を報告する無線測位報告機能を前記ユーザ装置に起動させるステップと、前記ユーザ装置が、前記無線測位機能の起動を前記基地局に報告するステップと、前記基地局が、前記干渉を回避するよう前記ユーザ装置との無線通信を制御するステップとを有するアップリンクキャリアアグリゲーション通信方法に関する。【００１１】
本発明の更なる他の態様は、アップリンクキャリアアグリゲーション機能を有するユーザ装置であって、基地局との無線通信を制御する無線通信制御部と、アップリンクキャリアアグリゲーションにより干渉を受ける被干渉システムのシステム情報を前記基地局に報告する被干渉システム情報報告部とを有するユーザ装置に関する。【００１２】
本発明の更なる他の態様は、アップリンクキャリアアグリゲーション機能を有するユーザ装置であって、基地局との無線通信を制御する無線通信制御部と、アップリンク干渉の原因を前記基地局に通知する干渉原因通知部とを有するユーザ装置に関する。
【発明の効果】
【００１３】
本発明によると、アップリンクキャリアアグリゲーション通信中に無線測位を実現することができる。
【図面の簡単な説明】
【００１４】
【図１】図１は、ＧＮＳＳの受信帯域とＵＬ  ＣＡの相互変調歪みとの干渉を示す図である。
【図２Ａ】図２Ａは、本発明の一実施例による無線通信システムを示す概略図である。
【図２Ｂ】図２Ｂは、本発明の一実施例によるユーザ装置のハードウェア構成を示すブロック図である。
【図２Ｃ】図２Ｃは、本発明の一実施例による基地局のハードウェア構成を示すブロック図である。
【図３】図３は、本発明の一実施例によるユーザ装置の機能構成を示すブロック図である。
【図４】図４は、本発明の一実施例による基地局の機能構成を示すブロック図である。
【図５】図５は、本発明の一実施例によるアップリンクキャリアアグリゲーション通信処理を示すシーケンス図である。
【図６】図６は、本発明の一実施例によるシグナリングデータ構造を示す図である。
【図７】図７は、本発明の一実施例によるシグナリングデータ構造を示す図である。
【図８】図８は、本発明の他の実施例によるアップリンクキャリアアグリゲーション通信処理を示すシーケンス図である。
【図９】図９は、本発明の一実施例によるシグナリングデータ構造を示す図である。
【図１０】図１０は、本発明の一実施例によるシグナリングデータ構造を示す図である。
【図１１】図１１は、本発明の他の実施例によるアップリンクキャリアアグリゲーション通信処理を示すシーケンス図である。
【図１２】図１２は、本発明の一実施例によるシグナリングデータ構造を示す図である。
【図１３】図１３は、本発明の他の実施例によるユーザ装置の機能構成を示すブロック図である。
【図１４】図１４は、本発明の他の実施例によるシグナリングデータ構造を示す図である。
【図１５】図１５は、本発明の他の実施例によるシグナリングデータ構造を示す図である。
【図１６】図１６は、本発明の更なる他の実施例によるユーザ装置の機能構成を示すブロック図である。
【図１７】図１７は、本発明の更なる他の実施例によるシグナリングデータ構造を示す図である。
【発明を実施するための形態】
【００１５】
以下、図面に基づいて本発明の実施の形態を説明する。
【００１６】
後述される実施例では、アップリンクキャリアアグリゲーション機能を有するユーザ装置及び基地局が開示される。以下の実施例を概略すると、基地局は、アップリンクキャリアアグリゲーションによる相互変調歪みによって、測位システムからの測位信号と干渉を生じさせる周波数帯域をユーザ装置に設定するとき、ユーザ装置に無線測位機能の起動又は停止を報告させるよう設定する。当該無線測位報告機能が設定されると、ユーザ装置は、無線測位機能を起動する際に当該無線測位機能の起動を基地局に報告する。当該報告を受信すると、基地局は、干渉の発生を回避するようユーザ装置との無線通信を制御する。例えば、基地局は、アップリンクキャリアアグリゲーション設定時に無線測位を実行している間は、測位信号との干渉を回避するようユーザ装置に送信電力を低減させてもよい。これにより、アップリンクキャリアアグリゲーション通信と無線測位とを同時に実行することが可能になる。
【００１７】
図２Ａを参照して、本発明の一実施例による無線通信システムを説明する。図２Ａは、本発明の一実施例による無線通信システムを示す概略図である。
【００１８】
図２Ａに示されるように、無線通信システム１０は、ユーザ装置１００及び基地局２００を有する。無線通信システム１０は、アップリンクキャリアアグリゲーションをサポートし、ユーザ装置１００は、図示されるように、複数のコンポーネントキャリアＣＣ＃１，ＣＣ＃２を同時に用いて基地局２００に無線信号を送信することができる。図示された実施例では、ユーザ装置１００は、１つの基地局２００とアップリンクキャリアアグリゲーション通信を行うことしか示されていないが、本発明は、これに限定されるものでない。例えば、ユーザ装置１００は、複数の基地局２００により提供されるコンポーネントキャリアを同時に利用して、複数の基地局２００と同時にアップリンク送信を行ってもよい。また、図示された実施例では、１つの基地局２００しか示されていないが、無線通信システム１０のサービスエリアをカバーするよう多数の基地局２００が配置される。
【００１９】
ユーザ装置１００は、基地局２００により提供される複数のキャリアを同時に利用して、基地局２００に無線信号を送信するアップリンクキャリアアグリゲーション機能を有する。また、ユーザ装置１００は、測位システム３００（ＧＮＳＳシステム）などの他の無線通信システムと無線通信するための通信機能を有する。
【００２０】
典型的には、ユーザ装置１００は、図示されるように、スマートフォン、携帯電話、タブレット、モバイルルータ、ウェアラブル端末などの無線通信機能を備えた何れか適切な情報処理装置であってもよい。図２Ｂに示されるように、ユーザ装置１００は、プロセッサなどのＣＰＵ（Ｃｅｎｔｒａｌ  Ｐｒｏｃｅｓｓｉｎｇ  Ｕｎｉｔ）１０１、ＲＡＭ（Ｒａｎｄｏｍ  Ａｃｃｅｓｓ  Ｍｅｍｏｒｙ）やフラッシュメモリなどのメモリ装置１０２、基地局２００との間で無線信号を送受信するための第１無線通信装置１０３、測位システム３００などの他の無線通信システムとの間で無線信号を送受信するための第２無線通信装置１０４、入出力装置や周辺装置などのユーザインタフェース１０５などから構成される。例えば、後述されるユーザ装置１００の各機能及び処理は、メモリ装置１０２に格納されているデータやプログラムをＣＰＵ１０１が処理又は実行することによって実現されてもよい。しかしながら、ユーザ装置１００は、上述したハードウェア構成に限定されず、後述する処理の１以上を実現する回路などにより構成されてもよい。
【００２１】
基地局２００は、ユーザ装置１００と無線接続することによって、コアネットワーク（図示せず）上に通信接続された上位局やサーバなどのネットワーク装置から受信したダウンリンク（ＤＬ）パケットをユーザ装置１００に送信すると共に、ユーザ装置１００から受信したアップリンク（ＵＬ）パケットをネットワーク装置に送信する。基地局２００は、複数のキャリアを介しユーザ装置１００から無線信号を同時に受信するアップリンクキャリアアグリゲーション機能を有する。
【００２２】
図２Ｃに示されるように、基地局２００は、典型的には、ユーザ装置１００との間で無線信号を送受信するためのアンテナ２０１、隣接する基地局２００と通信するための第１通信インタフェース（Ｘ２インタフェースなど）２０２、コアネットワークと通信するための第２通信インタフェース（Ｓ１インタフェースなど）２０３、ユーザ装置１００との送受信信号を処理するためのプロセッサ２０４や回路、メモリ装置２０５などのハードウェアリソースにより構成される。後述される基地局２００の各機能及び処理は、メモリ装置２０５に格納されているデータやプログラムをプロセッサ２０４が処理又は実行することによって実現されてもよい。しかしながら、基地局２００は、上述したハードウェア構成に限定されず、他の何れか適切なハードウェア構成を有してもよい。
【００２３】
測位システム３００は、ユーザ装置１００に測位信号を送信する。測位システム３００は、例えば、ＧＰＳシステム、Ｇｌｏｎａｓｓシステム、Ｇａｌｉｌｅｏシステム、ＢｅｉｄｏｕシステムなどのＧＮＳＳシステムであり、複数の衛星を用いて各自の周波数帯域において測位信号をユーザ装置１００に送信する。図１を参照して上述したように、アップリンクキャリアアグリゲーションにおいて８００ＭＨｚ帯域と１．７ＧＨｚ帯域との組み合わせが使用される場合、当該組み合わせにより発生する相互変調歪みの発生領域と測位システム３００からの無線信号の周波数帯域とが重複することが知られ、当該組み合わせによるアップリンクキャリアアグリゲーション実行中、ユーザ装置１００は測位信号を適切に受信することができなくなる。
【００２４】
以下の実施例は、アップリンクキャリアアグリゲーションによる相互変調歪みの発生領域と重複する周波数帯域として、測位システム３００からの無線信号の受信帯域に着目する。しかしながら、本発明は、測位システム３００に限定されるものでなく、ユーザ装置１００からのアップリンク送信によって干渉を受ける周波数帯域を利用する他の何れかの無線通信システムに適用されてもよい。
【００２５】
次に、図３を参照して、本発明の一実施例によるユーザ装置を説明する。図３は、本発明の一実施例によるユーザ装置の機能構成を示すブロック図である。
【００２６】
図３に示されるように、ユーザ装置１００は、無線通信制御部１１０、無線測位部１２０及び無線測位状態報告部１３０を有する。
【００２７】
無線通信制御部１１０は、基地局２００との無線通信を制御する。具体的には、無線通信制御部１１０は、基地局２００との間でアップリンク／ダウンリンク制御チャネルやアップリンク／ダウンリンクデータチャネルなどの各種無線チャネルを送受信すると共に、基地局２００により提供される複数のキャリアを同時使用して基地局２００に無線信号を送信するアップリンクキャリアアグリゲーションを実行する。
【００２８】
無線測位部１２０は、測位システム３００から受信した無線信号に基づく無線測位機能を実行する。無線測位機能は、測位システム３００から受信した測位信号に基づきユーザ装置１００の位置を測定する。無線測位機能が起動されると、無線測位部１２０は、測位システム３００から送信された測位信号を受信し、受信した測位信号に基づきユーザ装置１００の位置を特定する。典型的には、無線測位部１２０は、測位システム３００の複数の衛星から送信される測位信号を受信し、受信した複数の測位信号から周知の測位アルゴリズムに基づきユーザ装置１００の位置を特定する。典型的には、無線測位部１２０は、ユーザが利用しているアプリケーション（例えば、地図アプリケーションなどの位置関連情報を提供するアプリケーションなど）からの起動要求などに応答して起動される。
【００２９】
無線測位状態報告部１３０は、アップリンクキャリアアグリゲーションが設定されているとき、無線測位機能の起動又は停止を基地局２００に報告する。具体的には、アップリンクキャリアアグリゲーションがユーザ装置１００に設定されている間に無線測位部１２０が無線測位機能を起動及び／又は停止したことに応答して、無線測位状態報告部１３０は、当該無線測位機能が起動及び／又は停止されたことを基地局２００に通知する。
【００３０】
一実施例では、無線測位状態報告部１３０は、基地局２００からの指示によって起動又は停止されてもよい。具体的には、基地局２００が、ユーザ装置１００に無線測位機能の起動及び／又は停止を報告するよう指示し、当該報告指示を受信した場合に限って、無線測位状態報告部１３０は無線測位機能の起動及び／又は停止を基地局２００に報告してもよい。これにより、基地局２００は、アップリンクキャリアアグリゲーションの実行中に測位システム３００からの測位信号と干渉を生じさせるキャリアをユーザ装置１００に設定した場合に限って、無線測位機能の起動及び／又は停止をユーザ装置１００に報告させるようにすることが可能になる。換言すると、アップリンクキャリアアグリゲーションの実行中であっても、ユーザ装置１００に測位信号と干渉を生じさせるキャリアを設定していない場合、基地局２００は、無線測位機能の起動及び／又は停止を不要に報告させることを回避できる。また、基地局２００は、ユーザ装置１００に対するアップリンクキャリアアグリゲーションの設定を削除する場合、ユーザ装置１００に無線測位機能の起動及び／又は停止の報告を停止させてもよい。
【００３１】
無線測位機能の起動及び／又は停止の報告を受信すると、基地局２００は、干渉を回避するようユーザ装置１００との無線通信を制御することが可能になる。例えば、基地局２００は、ユーザ装置１００による無線測位機能の起動中は、アップリンクキャリアアグリゲーションにおいて測位信号との干渉を生じさせないリソースブロックをユーザ装置１００にスケジューリングし、当該リソースブロックによってユーザ装置１００にアップリンクデータを送信させてもよい。また、アップリンクキャリアアグリゲーションが設定されている場合であってもユーザ装置１００による無線測位機能の起動中は、基地局２００は、１つのキャリアのみを用いてユーザ装置１００にアップリンクデータを送信させてもよいし、アップリンクキャリアアグリゲーションの設定を削除してもよいし、あるいは、セカンダリセル（ＳＣｅｌｌ）を非アクティブ状態にしてもよい。
【００３２】
一実施例では、無線測位機能のための送信電力の低減を基地局２００から指示されると、無線通信制御部１１０は、無線測位機能の起動中に当該送信電力を低減して、基地局２００とのアップリンクキャリアアグリゲーション通信を実行してもよい。アップリンクキャリアアグリゲーションの実行中に生じる相互変調歪みに起因した測位システム３００からの測位信号への干渉を低減するため、無線通信制御部１１０は、基地局２００から指示された送信電力の低減をアップリンク通信に適用してもよい。ＬＴＥ規格では、基地局２００は、Ａ−ＭＰＲ（Ａｄｄｉｔｉｏｎａｌ  Ｍａｘｉｍｕｍ  Ｐｏｗｅｒ  Ｒｅｄｕｃｔｉｏｎ）パラメータによって、アップリンクキャリアアグリゲーション設定中における無線測位機能の起動時にユーザ装置１００が低減すべき最大送信電力を指示してもよい。このとき、無線通信制御部１１０は、アップリンクキャリアアグリゲーションの設定中に無線測位機能が起動されると、当該無線測位の実行中はＡ−ＭＰＲにより指示された電力量だけ最大送信電力を低減する。
【００３３】
一実施例では、無線測位状態報告部１３０は更に、測位システム３００、測位システム３００の受信中心周波数及び測位システム３００の受信帯域幅を基地局２００に報告してもよい。すなわち、無線測位部１２０が無線測位機能を起動又は停止すると、無線測位状態報告部１３０は、当該無線測位機能の起動又は停止を報告すると共に、ユーザ装置１００が利用する測位システム３００の種別、受信中心周波数及び受信帯域幅を報告してもよい。上述したように、ユーザ装置１００は、ＧＰＳなど各種の測位システム３００を利用可能であり、また、各測位システム３００は固有の周波数帯域を利用すると共に、各ユーザ装置１００は、典型的には、測位システム３００の周波数帯域全体でなく一部の周波数帯域のみを利用している。このため、無線測位状態報告部１３０は、無線測位機能の起動又は停止と併せて、利用している測位システム３００の種別、受信中心周波数及び受信帯域幅を基地局２００に報告してもよい。これにより、基地局２００は、ユーザ装置１００が測位信号の受信に利用する周波数帯域の詳細を知ることができ、干渉を回避するのにより適切にユーザ装置１００との無線通信を制御することが可能になる。
【００３４】
次に、図４を参照して、本発明の一実施例による基地局を説明する。図４は、本発明の一実施例による基地局の機能構成を示すブロック図である。
【００３５】
図４に示されるように、基地局２００は、無線通信制御部２１０及び無線測位報告制御部２２０を有する。
【００３６】
無線通信制御部２１０は、ユーザ装置１００との無線通信を制御する。具体的には、無線通信制御部２１０は、ユーザ装置１００との間で各種制御信号及びデータ信号を送受信すると共に、アップリンクキャリアアグリゲーションの設定中は複数のキャリアによりユーザ装置１００から無線信号を受信する。
【００３７】
無線測位報告制御部２２０は、測位システム３００から受信した無線信号に基づく無線測位機能の起動又は停止を報告するユーザ装置１００に対する無線測位報告機能を制御し、アップリンクキャリアアグリゲーションにおいて測位システム３００からの無線信号と干渉を生じさせる周波数帯域をユーザ装置１００に設定しているとき、ユーザ装置１００に無線測位報告機能を起動させる。すなわち、ユーザ装置１００は、上述したように無線測位機能の起動及び／又は停止を基地局２００に報告する無線測位報告機能を有し、当該無線測位報告機能の起動及び停止は、無線測位報告制御部２２０により制御される。無線測位報告制御部２２０がユーザ装置１００に無線測位報告機能を起動させると、ユーザ装置１００は、無線測位機能の起動及び／又は停止を基地局２００に報告する。他方、無線測位報告制御部２２０がユーザ装置１００に無線測位報告機能を停止させると、ユーザ装置１００は、無線測位機能の起動及び／又は停止の報告を停止する。アップリンクキャリアアグリゲーションにおいて測位信号と干渉を生じさせる周波数帯域をユーザ装置１００に設定しているとき、無線測位報告制御部２２０は、ユーザ装置１００に無線測位報告機能を起動させ、当該無線測位報告機能の起動中の無線測位機能の起動及び／又は停止時には、ユーザ装置１００に無線測位機能の起動及び／又は停止を報告させる。
【００３８】
一実施例では、ユーザ装置１００から無線測位機能の起動の報告を受信すると、無線通信制御部２１０は、干渉を回避するようユーザ装置１００との無線通信を制御してもよい。具体的には、無線通信制御部２１０は、ユーザ装置１００による無線測位機能の起動中は、アップリンクキャリアアグリゲーションにおいて測位信号との干渉を生じさせないリソースブロックをユーザ装置１００にスケジューリングし、当該リソースブロックによってユーザ装置１００にアップリンクデータを送信させてもよい。また、アップリンクキャリアアグリゲーションが設定されている場合であってもユーザ装置１００による無線測位機能の起動中は、無線通信制御部２１０は、１つのキャリアのみを用いてユーザ装置１００にアップリンクデータを送信させてもよいし、アップリンクキャリアアグリゲーションの設定を削除してもよいし、あるいは、セカンダリセル（ＳＣｅｌｌ）を非アクティブ状態にしてもよい。
【００３９】
一実施例では、無線通信制御部２１０は、無線測位機能の起動中に低減すべき送信電力をユーザ装置１００に通知してもよい。ＬＴＥ規格では、無線通信制御部２１０は、Ａ−ＭＰＲパラメータによって、アップリンクキャリアアグリゲーション設定中の無線測位機能の起動時にユーザ装置１００が、規格で規定されたリソースブロック数以上でアップリンクデータを送信する場合に低減すべき最大送信電力を指示してもよい。このとき、ユーザ装置１００は、アップリンクキャリアアグリゲーション設定中に無線測位機能を起動する際、当該リソースブロック数以上でアップリンクデータを送信する場合、Ａ−ＭＰＲにより指示された電力量だけ最大送信電力を低減する。
【００４０】
一実施例では、ユーザ装置１００に対するアップリンクキャリアアグリゲーションの設定を削除するとき、又は干渉を生じさせる周波数帯の設定を削除するとき、無線測位報告制御部２２０は、ユーザ装置１００に無線測位報告機能を停止させてもよい。すなわち、ユーザ装置１００に対するアップリンクキャリアアグリゲーションの設定を削除するとき、又は干渉を生じさせる周波数帯の設定を削除するとき、ユーザ装置１００からの不要な無線測位報告を停止させるため、無線測位報告制御部２２０は、ユーザ装置１００に無線測位報告機能を停止させてもよい。すなわち、アップリンクキャリアアグリゲーションにおいて測位信号と干渉を生じさせる周波数帯域をユーザ装置１００に設定していない場合、無線測位報告制御部２２０は、ユーザ装置１００に無線測位報告機能を起動させない。これにより、アップリンクキャリアアグリゲーションの相互変調歪みによって干渉が生じない場合には、ユーザ装置１００からの不要な無線測位報告を停止させることができる。
【００４１】
次に、図５〜７を参照して、本発明の一実施例によるアップリンクキャリアアグリゲーション通信処理を説明する。図５は、本発明の一実施例によるアップリンクキャリアアグリゲーション通信処理を示すシーケンス図である。当該アップリンクキャリアアグリゲーション通信処理は、ＬＴＥ規格に関連して説明される。図示されるアップリンクキャリアアグリゲーション通信処理は、ＬＴＥ規格の特定のリソースに基づくものであるが、本発明は、当該リリースに限定されるものでなく、以降のリリースなどのアップリンクキャリアアグリゲーションを利用する他の何れかのリリースに適用されてもよい。
【００４２】
図５に示されるように、ステップＳ１０１において、ユーザ装置１００と基地局２００との間で接続処理が実行され、アップリンクキャリアアグリゲーション機能に対応していることを示すユーザ能力情報が基地局２００に通知される。なお、ユーザ装置１００と基地局２００との間ですでに接続が確立され、基地局２００が、ユーザ装置１００のユーザ能力情報をすでに取得している場合、ステップＳ１０１は省略されてもよい。
【００４３】
ステップＳ１０２において、基地局２００は、アップリンクキャリアアグリゲーションにおいて測位システム３００からの無線信号と干渉を生じさせる周波数帯域をユーザ装置１００に設定すると共に、測位システム３００から受信した無線信号に基づく無線測位機能の起動又は停止を報告させるための無線測位報告機能をユーザ装置１００に起動させる。具体的には、基地局２００は、ＲＲＣ（Ｒａｄｉｏ  Ｒｅｓｏｕｒｃｅ  Ｃｏｎｔｒｏｌ）  Ｃｏｎｎｅｃｔｉｏｎ  Ｒｅｃｏｎｆｉｇｕｒａｔｉｏｎをユーザ装置１００に送信することによって、アップリンクキャリアアグリゲーションを設定すると共に、ユーザ装置１００に通知される図６に示される情報要素において、無線測位機能の起動及び／又は停止を報告させるための無線測位報告機能（ｉｄｃ−ＦｏｒＧＮＳＳ）をユーザ装置１００に起動させてもよい（ｉｄｃ−ＦｏｒＧＮＳＳ＝ｔｒｕｅ）。
【００４４】
ステップＳ１０３において、無線測位機能を起動すると（ＧＮＳＳ  ｏｎ）、ユーザ装置１００は、当該無線測位機能の起動を基地局２００に報告すると共に、アップリンク送信を実行する。一実施例では、ユーザ装置１００は更に、測位システム３００、測位システム３００の受信中心周波数及び測位システム３００の受信帯域幅を基地局２００に報告してもよい。例えば、ユーザ装置１００は、図７に示されるメッセージの"ＧＮＳＳ−Ｉｎｆｏ−ｒ１１"において、無線測位機能の起動（ｇＮＳＳ−ＲｅｃｅｉｖｅｒＡｃｔｉｖａｔｉｏｎ−ｒ１１＝ｔｒｕｅ）、ユーザ装置１００が利用する測位システム３００の種別（ｇＮＳＳ−Ｔｙｐｅ−ｒ１１）、受信中心周波数（ｒｅｃｖＦｒｅｑ−ｒ１１）及び受信帯域幅（ｃｈａｎｎｅｌＢＷ−ｒ１１）を基地局２００に通知してもよい。図５に示された具体例によると、ユーザ装置１００は、これらのパラメータを用いて、"ｇＮＳＳ−ＲｅｃｅｉｖｅｒＡｃｔｉｖａｔｉｏｎ−ｒ１１＝ｔｒｕｅ"、"ｇＮＳＳ−Ｔｙｐｅ−ｒ１１＝ＧＰＳ"、"ｒｅｃｖＦｒｅｑ−ｒ１１＝１５７０"及び"ｃｈａｎｎｅｌＢＷ−ｒ１１＝２０"を基地局２００に通知する。
【００４５】
当該報告を受信すると、基地局２００は、上述したように、干渉を回避するようユーザ装置１００との無線通信を制御する。例えば、基地局２００は、ユーザ装置１００による無線測位機能の起動中は、アップリンクキャリアアグリゲーションにおいて測位信号との干渉を生じさせないリソースブロックをユーザ装置１００にスケジューリングし、当該リソースブロックによってユーザ装置１００にアップリンクデータを送信させてもよい。また、アップリンクキャリアアグリゲーションが設定されている場合であってもユーザ装置１００による無線測位機能の起動中は、基地局２００は、１つのキャリアのみを用いてユーザ装置１００にアップリンクデータを送信させてもよいし、アップリンクキャリアアグリゲーションの設定を削除してもよいし、あるいは、セカンダリセル（ＳＣｅｌｌ）を非アクティブ状態にしてもよい。
【００４６】
ステップＳ１０４において、無線測位機能を停止すると（ＧＮＳＳ  ｏｆｆ）、ユーザ装置１００は、当該無線測位機能の停止を基地局２００に報告する。一実施例では、ユーザ装置１００は更に、測位システム３００、測位システム３００の受信中心周波数及び測位システム３００の受信帯域幅を基地局２００に報告してもよい。
【００４７】
その後、ステップＳ１０５において、基地局２００は、アップリンクキャリアアグリゲーションの設定を削除すると共に、ユーザ装置１００に無線測位報告機能を停止させる。例えば、基地局２００は、ユーザ装置１００に通知される図６に示される情報要素において、"ｉｄｃ−ＦｏｒＧＮＳＳ＝ｆａｌｓｅ"とすることによって、無線測位報告機能をユーザ装置１００に停止させてもよい。
【００４８】
次に、図８〜１０を参照して、本発明の他の実施例によるアップリンクキャリアアグリゲーション通信処理を説明する。図８は、本発明の他の実施例によるアップリンクキャリアアグリゲーション通信処理を示すシーケンス図である。当該アップリンクキャリアアグリゲーション通信処理は、アップリンクキャリアアグリゲーションにおいて無線測位機能の起動中はＡ−ＭＰＲに従ってあるリソースブロック数以上でアップリンクデータを送信する場合に送信電力を低減する実施例に関するものであり、ＬＴＥ規格に関連して説明される。図示されるアップリンクキャリアアグリゲーション通信処理は、ＬＴＥ規格の特定のリソースに基づくものであるが、本発明は、当該リリースに限定されるものでなく、以降のリリースなどのアップリンクキャリアアグリゲーションを利用する他の何れかのリリースに適用されてもよい。
【００４９】
図８に示されるように、ステップＳ２０１において、ユーザ装置１００と基地局２００との間で接続処理が実行され、アップリンクキャリアアグリゲーション機能に対応していることを示すユーザ能力情報が基地局２００に通知される。なお、ユーザ装置１００と基地局２００との間ですでに接続が確立され、基地局２００が、ユーザ装置１００のユーザ能力情報をすでに取得している場合、ステップＳ２０１は省略されてもよい。
【００５０】
ステップＳ２０２において、基地局２００は、アップリンクキャリアアグリゲーションにおいて測位システム３００からの無線信号と干渉を生じさせる周波数帯域をユーザ装置１００に設定すると共に、測位システム３００から受信した無線信号に基づく無線測位機能の起動又は停止を報告させるための無線測位報告機能をユーザ装置１００に起動させる。具体的には、基地局２００は、ＲＲＣ  Ｃｏｎｎｅｃｔｉｏｎ  Ｒｅｃｏｎｆｉｇｕｒａｔｉｏｎをユーザ装置１００に送信することによって、アップリンクキャリアアグリゲーションを設定すると共に、無線測位機能の起動及び／又は停止を報告させるための無線測位報告機能（ｉｄｃ−ＦｏｒＧＮＳＳ）をユーザ装置１００に起動させてもよい（ｉｄｃ−ＦｏｒＧＮＳＳ＝ｔｒｕｅ）。さらに、基地局２００は、アップリンクキャリアアグリゲーションにおいて無線測位機能の起動中にユーザ装置１００に送信電力を低減させるためのＡ−ＭＰＲを通知する。一実施例では、基地局２００は、アップリンクキャリアアグリゲーションのプライマリセルとセカンダリセルとに個別に低減されるべき送信電力を通知してもよい。例えば、基地局２００は、図９に示される情報要素の"ａｄｄｉｔｉｏｎａｌＳｐｅｃｔｒｕｍＥｍｉｓｓｉｏｎＰｃｅｌｌ２−ｒ１２"によって、アップリンクキャリアアグリゲーションのプライマリセル（ＰＣｅｌｌ）用のＡ−ＭＰＲを通知してもよい。また、基地局２００は、図１０に示される情報要素の"ａｄｄｉｔｉｏｎａｌＳｐｅｃｔｒｕｍＥｍｉｓｓｉｏｎＳｃｅｌｌ２−ｒ１２"によって、アップリンクキャリアアグリゲーションのプライマリセル（ＳＣｅｌｌ）用のＡ−ＭＰＲを通知してもよい。
【００５１】
ステップＳ２０３において、無線測位機能を起動すると（ＧＮＳＳ  ｏｎ）、ユーザ装置１００は、当該無線測位機能の起動を基地局２００に報告すると共に、基地局２００からの指示に従って、当該リソースブロック数以上でアップリンクデータを送信する場合、送信電力を低減してアップリンク送信を実行する。一実施例では、ユーザ装置１００は更に、測位システム３００、測位システム３００の受信中心周波数及び測位システム３００の受信帯域幅を基地局２００に報告してもよい。
【００５２】
当該報告を受信すると、基地局２００は、上述したように、干渉を回避するようユーザ装置１００との無線通信を制御する。例えば、基地局２００は、ユーザ装置１００による無線測位機能の起動中は、アップリンクキャリアアグリゲーションにおいて測位信号との干渉を生じさせないリソースブロックをユーザ装置１００にスケジューリングし、当該リソースブロックによってユーザ装置１００にアップリンクデータを送信させてもよい。また、アップリンクキャリアアグリゲーションが設定されている場合であってもユーザ装置１００による無線測位機能の起動中は、基地局２００は、１つのキャリアのみを用いてユーザ装置１００にアップリンクデータを送信させてもよいし、アップリンクキャリアアグリゲーションの設定を削除してもよいし、あるいは、セカンダリセル（ＳＣｅｌｌ）を非アクティブ状態にしてもよい。
【００５３】
ステップＳ２０４において、無線測位機能を停止すると（ＧＮＳＳ  ｏｆｆ）、ユーザ装置１００は、当該無線測位機能の停止を基地局２００に報告する。一実施例では、ユーザ装置１００は更に、測位システム３００、測位システム３００の受信中心周波数及び測位システム３００の受信帯域幅を基地局２００に報告してもよい。
【００５４】
その後、ステップＳ２０５において、基地局２００は、アップリンクキャリアアグリゲーションの設定を削除すると共に、ユーザ装置１００に無線測位報告機能を停止させる。例えば、基地局２００は、ユーザ装置１００に通知される図６に示される情報要素において、"ｉｄｃ−ＦｏｒＧＮＳＳ＝ｆａｌｓｅ"とすることによって、無線測位報告機能をユーザ装置１００に停止させてもよい。さらに、基地局２００は、アップリンクキャリアアグリゲーションにおいて無線測位機能の起動中にユーザ装置１００に送信電力を低減させるためのＡ−ＭＰＲの削除を通知する。
【００５５】
上述した実施例では、アップリンクキャリアアグリゲーションにより生じる相互変調歪みによって測位信号が干渉を受けることを回避するためのアップリンクキャリアアグリゲーション通信処理を説明した。しかしながら、本発明は、測位信号への干渉に限定されるものでなく、アップリンクキャリアアグリゲーションにより生じる相互変調歪みによって干渉を受ける他の無線通信システムに適用可能である。
【００５６】
次に、図１１〜１２を参照して、本発明の更なる他の実施例によるアップリンクキャリアアグリゲーション通信処理を説明する。図１１は、本発明の他の実施例によるアップリンクキャリアアグリゲーション通信処理を示すシーケンス図である。当該アップリンクキャリアアグリゲーション通信処理は、緊急呼中の無線測位機能の起動を確保するためのユーザ装置１００による自律動作を基地局２００が制御する実施例に関するものであり、ＬＴＥ規格に関連して説明される。図示されるアップリンクキャリアアグリゲーション通信処理は、ＬＴＥ規格の特定のリソースに基づくものであるが、本発明は、当該リリースに限定されるものでなく、以降のリリースなどのアップリンクキャリアアグリゲーションを利用する他の何れかのリリースに適用されてもよい。
【００５７】
警察や消防などの緊急対応機関への通報のための緊急呼が発信された場合、発信場所に関する位置情報を自動的に取得し、取得した位置情報を発信先に通知する緊急通報位置通知機能がある。このような緊急通報位置通知機能を保護するため、ＬＴＥ規格で、基地局２００は緊急呼を発信したユーザ装置１００に複数のアップリンクコンポーネントキャリアにおいてリソースを割り当てない制御が検討されている（３ＧＰＰ  Ｒ４−１４８１１７）。仮に、基地局２００が複数のアップリンクコンポーネントキャリアにおいて緊急呼中のユーザ装置１００にリソースを割り当てた場合、ユーザ装置１００は、セカンダリセルのアップリンク送信を自律的に中止することが可能とされている。しかしながら、ユーザ装置１００がこのようにセカンダリセルのアップリンク送信を自律的に中止した場合、基地局２００は当該自律動作を迅速に把握できず、不要なアップリンクリソースをユーザ装置１００に割り当てる可能性がある。このため、本実施例では、基地局２００がユーザ装置１００による上記自律動作を制御することを可能にする。
【００５８】
図１１に示されるように、ステップＳ３０１において、ユーザ装置１００と基地局２００との間で接続処理が実行され、アップリンクキャリアアグリゲーション機能に対応していることを示すユーザ能力情報が基地局２００に通知される。本実施例では、ユーザ装置１００の無線通信制御部１１０は、複数のコンポーネントキャリア上でアップリンクリソースが割り当てられている場合、緊急呼中にセカンダリセルのアップリンク送信を中止する自律送信中止機能を有し、基地局２００からの起動許可によって当該自律送信中止機能を起動することができる。なお、ユーザ装置１００と基地局２００との間ですでに接続が確立され、基地局２００が、ユーザ装置１００のユーザ能力情報をすでに取得している場合、ステップＳ３０１は省略されてもよい。
【００５９】
ステップＳ３０２において、基地局２００は、アップリンクキャリアアグリゲーションにおいて測位システム３００からの無線信号と干渉を生じさせる周波数帯域をユーザ装置１００に設定すると共に、測位システム３００から受信した無線信号に基づく無線測位機能の起動又は停止を報告させるための無線測位報告機能をユーザ装置１００に起動させる。さらに、基地局２００は、無線測位報告制御部２２０を用いて、複数のコンポーネントキャリア上でアップリンクリソースが割り当てられている場合、ユーザ装置１００が緊急呼中にセカンダリセルのアップリンク送信を中止する自律送信中止機能の起動を許可する。具体的には、基地局２００は、ＲＲＣ  Ｃｏｎｎｅｃｔｉｏｎ  Ｒｅｃｏｎｆｉｇｕｒａｔｉｏｎをユーザ装置１００に送信することによって、アップリンクキャリアアグリゲーションを設定すると共に、図１２に示されるように、無線測位機能の起動及び／又は停止を報告させるための無線測位報告機能の起動指示（ｉｄｃ−ＦｏｒＧＮＳＳ＝ｔｒｕｅ）と、自律送信中止機能の起動許可（ａｕｔｏｎｏｍｏｕｓＤｅｎｉａｌＳＣｅｌｌ＝ｓｅｔｕｐ）とをユーザ装置１００に通知する。
【００６０】
ステップＳ３０３において、ユーザ装置１００は、警察や消防などの緊急対応機関に緊急呼を発信する。
【００６１】
ステップＳ３０４において、基地局２００は、複数のアップリンクコンポーネントキャリア上でユーザ装置１００にリソースを割り当てる。
【００６２】
ステップＳ３０５において、ユーザ装置１００は、ステップＳ３０２において基地局２００から通知された自律送信中止機能の起動許可（ａｕｔｏｎｏｍｏｕｓＤｅｎｉａｌＳＣｅｌｌ＝ｓｅｔｕｐ）に従って自律送信中止機能を起動し、ステップＳ３０３において割り当てられたセカンダリセルのアップリンク送信を中止する。
【００６３】
上述した実施例によると、基地局２００が緊急呼中のユーザ装置１００による自律送信中止機能の起動を制御することが可能となり、基地局２００は、ユーザ装置１００の想定する動作を把握でき、緊急呼を発信したユーザ装置１００に不要なアップリンクリソースを割り当てることを回避できる。
【００６４】
次に、図１３〜１５を参照して、本発明の他の実施例によるユーザ装置を説明する。上述した実施例では、アップリンクキャリアアグリゲーションによる相互変調歪みの発生領域と重複する周波数帯域として、測位システム３００からの無線信号の受信帯域に着目した。しかしながら、本発明は、測位システム３００に限定されるものでなく、ユーザ装置１００からのアップリンク送信によって干渉を受ける周波数帯域を利用する他の何れかの無線通信システムに適用されてもよい。例えば、そのような干渉を被る被干渉システム４００（図示せず）として、２．４ＧＨｚや５ＧＨｚなどの免許不要帯域（ｕｎｌｉｃｅｎｓｅｄ  ｂａｎｄ）を利用する無線通信システム（Ｗｉ−ＦｉやＢｌｕｅｔｏｏｔｈ（登録商標）など）があげられる。本実施例では、アップリンクキャリアアグリゲーションにより干渉を受ける被干渉システム４００に着目する。
【００６５】
図１３は、本発明の他の実施例によるユーザ装置の機能構成を示すブロック図である。図１３に示されるように、ユーザ装置１００Ａは、無線通信制御部１１０Ａ及び被干渉システム情報報告部１４０Ａを有する。
【００６６】
無線通信制御部１１０Ａは、基地局２００との無線通信を制御する。具体的には、無線通信制御部１１０Ａは、無線通信制御部１１０と同様に、基地局２００との間でアップリンク／ダウンリンク制御チャネルやアップリンク／ダウンリンクデータチャネルなどの各種無線チャネルを送受信すると共に、基地局２００により提供される複数のキャリアを同時使用して基地局２００に無線信号を送信するアップリンクキャリアアグリゲーションを実行する。
【００６７】
被干渉システム情報報告部１４０Ａは、アップリンクキャリアアグリゲーションにより干渉を受ける被干渉システム４００のシステム情報を基地局２００に報告する。例えば、ユーザ装置１００Ａは、基地局２００に加えて、アップリンクキャリアアグリゲーションにより干渉を受ける免許不要帯域を利用するＷｉ−Ｆｉ、Ｂｌｕｅｔｏｏｔｈ（登録商標）などの被干渉システム４００と無線通信することが可能である。アップリンクキャリアアグリゲーションが設定されている間に被干渉システム４００と無線通信を開始又は停止したことに応答して、被干渉システム情報報告部１４０Ａは、当該無線通信の開始及び／又は停止を基地局２００に報告する。
【００６８】
一実施例では、システム情報は、被干渉システム４００の中心周波数及び受信帯域幅を含むものであってもよい。ユーザ装置１００Ａは、Ｗｉ−ＦｉやＢｌｕｅｔｏｏｔｈ（登録商標）などの各種の被干渉システム４００を利用可能であり、被干渉システム情報報告部１４０Ａは、被干渉システム４００の中心周波数及び受信帯域幅を基地局２００に通知する。ユーザ装置１００Ａから被干渉システム４００の中心周波数及び受信帯域幅を受信すると、基地局２００は、ユーザ装置１００Ａと被干渉システム４００との間の無線通信に利用される帯域（免許不要帯域など）の詳細を知ることができ、干渉を回避するように、より適切にユーザ装置１００Ａとの無線通信を制御することが可能になる。例えば、被干渉システム情報報告部１４０Ａは、図１４に示されるようなシグナリングデータ構造によって、被干渉システム４００の中心周波数"ｒｅｃｖＦｒｅｑ"及び受信帯域幅"ｃｈａｎｎｅｌＢＷ"を示すシステム情報"ＶｉｃｔｉｍＳｙｓｔｅｍＩｎｆｏ"を基地局２００に通知してもよい。なお、複数の被干渉システム４００がある場合、被干渉システム情報報告部１４０Ａは、これら複数の被干渉システム４００の各々のシステム情報を基地局２００に報告してもよい。
【００６９】
一実施例では、被干渉システム情報報告部１４０Ａは、基地局２００からの指示によって起動又は停止されてもよい。具体的には、基地局２００が、ユーザ装置１００Ａに被干渉システム４００との無線通信の開始及び／又は停止を報告するよう指示し、当該報告指示を受信した場合に限って、被干渉システム情報報告部１４０Ａは、被干渉システム４００との無線通信の開始及び／又は停止を基地局２００に報告してもよい。これにより、基地局２００は、アップリンクキャリアアグリゲーションの実行中に被干渉システム４００との無線通信に干渉を生じさせるキャリアをユーザ装置１００Ａに設定した場合に限って、被干渉システム４００との無線通信の開始及び／又は停止をユーザ装置１００Ａに報告させるようにすることが可能になる。換言すると、アップリンクキャリアアグリゲーションの実行中であっても、ユーザ装置１００Ａに被干渉システム４００と干渉を生じさせるキャリアを設定していない場合、基地局２００は、被干渉システム４００との無線通信の開始及び／又は停止を不要に報告させることを回避できる。例えば、基地局２００は、図１５に示されるようなシグナリングデータ構造によって、アップリンクキャリアアグリゲーションが設定されたとき、被干渉システム４００のシステム情報"ＶｉｃｔｉｍＳｙｓｔｅｍＩｎｆｏ"を含むデバイス内共存通知"ＩｎＤｅｖｉｃｅＣｏｅｘＩｎｄｉｃａｔｉｏｎ"を基地局２００に送信するようユーザ装置１００Ａに指示してもよい。図示されたシグナリングデータ構造では、"ｉｄｃ−ＦｏｒＵＬ  ＣＡ"が"ＴＲＵＥ"に設定されているとき、アップリンクキャリアアグリゲーションが設定されたことに応答して、被干渉システム情報報告部１４０Ａは、被干渉システム４００のシステム情報"ＶｉｃｔｉｍＳｙｓｔｅｍＩｎｆｏ"を含むデバイス内共存通知"ＩｎＤｅｖｉｃｅＣｏｅｘＩｎｄｉｃａｔｉｏｎ"を基地局２００に送信してもよい。また、基地局２００は、ユーザ装置１００Ａに対するアップリンクキャリアアグリゲーションの設定を削除する場合、ユーザ装置１００Ａに被干渉システム４００との無線通信の開始及び／又は停止の報告を停止させてもよい。
【００７０】
被干渉システム４００との無線通信の開始及び／又は停止の報告を受信すると、基地局２００は、干渉を回避するようユーザ装置１００Ａとの無線通信を制御することが可能になる。例えば、基地局２００は、ユーザ装置１００Ａによる被干渉システム４００との無線通信の起動中は、アップリンクキャリアアグリゲーションにおいて被干渉システム４００との干渉を生じさせないリソースブロックをユーザ装置１００Ａにスケジューリングし、当該リソースブロックによってユーザ装置１００Ａにアップリンクデータを送信させてもよい。また、アップリンクキャリアアグリゲーションが設定されている場合であってもユーザ装置１００Ａによる被干渉システム４００との無線通信の起動中は、基地局２００は、１つのキャリアのみを用いてユーザ装置１００Ａにアップリンクデータを送信させてもよいし、アップリンクキャリアアグリゲーションの設定を削除してもよいし、あるいは、セカンダリセル（ＳＣｅｌｌ）を非アクティブ状態にしてもよい。
【００７１】
一実施例では、被干渉システム４００との無線通信のための送信電力の低減を基地局２００から指示されると、無線通信制御部１１０Ａは、被干渉システム４００との無線通信の起動中に当該送信電力を低減して、基地局２００とのアップリンクキャリアアグリゲーション通信を実行してもよい。アップリンクキャリアアグリゲーションの実行中に生じる相互変調歪みに起因した被干渉システム４００との干渉を低減するため、無線通信制御部１１０Ａは、基地局２００から指示された送信電力の低減をアップリンク通信に適用してもよい。ＬＴＥ規格では、基地局２００は、Ａ−ＭＰＲパラメータによって、アップリンクキャリアアグリゲーション設定中における被干渉システム４００との無線通信の起動時にユーザ装置１００Ａが低減すべき最大送信電力を指示してもよい。このとき、無線通信制御部１１０Ａは、アップリンクキャリアアグリゲーションの設定中に被干渉システム４００との無線通信が起動されると、当該無線通信の実行中はＡ−ＭＰＲにより指示された電力量だけ最大送信電力を低減する。
【００７２】
次に、図１６〜１７を参照して、本発明の更なる他の実施例によるユーザ装置を説明する。上述した実施例では、アップリンク干渉を回避するため、アップリンクキャリアアグリゲーションにより干渉を受ける１以上の被干渉システム４００のシステム情報が基地局２００に報告された。一方、アップリンク干渉は、上述したようなアップリンクキャリアアグリゲーションにより生じる相互変調歪み（Ｉｎｔｅｒ−Ｍｏｄｕｌａｔｉｏｎ  Ｄｉｓｔｏｒｔｉｏｎ：ＩＭＤ）に限定されず、シングルキャリアアップリンク送信の高調波成分などの他の原因によっても生じうる。このため、干渉原因を基地局２００に通知することによって、基地局２００は、アップリンク干渉に適切に対処することができる。
【００７３】
図１６は、本発明の更なる他の実施例によるユーザ装置の機能構成を示すブロック図である。図１６に示されるように、ユーザ装置１００Ｂは、無線通信制御部１１０Ｂ及び干渉原因通知部１２０Ｂを有する。
【００７４】
無線通信制御部１１０Ｂは、基地局２００との無線通信を制御する。具体的には、無線通信制御部１１０Ｂは、無線通信制御部１１０，１１０Ａと同様に、基地局２００との間でアップリンク／ダウンリンク制御チャネルやアップリンク／ダウンリンクデータチャネルなどの各種無線チャネルを送受信すると共に、基地局２００により提供される複数のキャリアを同時使用して基地局２００に無線信号を送信するアップリンクキャリアアグリゲーションを実行する。また、無線通信制御部１１０Ｂは、シングルキャリア方式によるアップリンク送信をサポートしている。シングルキャリアアップリンク送信では、高調波成分が干渉を生じさせることが知られている。
【００７５】
干渉原因通知部１２０Ｂは、アップリンク干渉の原因を基地局２００に通知する。一実施例では、アップリンク干渉の原因は、アップリンクキャリアアグリゲーションにより生じる相互変調歪み、又はシングルキャリアアップリンク送信の高調波であってもよい。例えば、アップリンク干渉がアップリンクキャリアアグリゲーションにより生じる相互変調歪みを原因とする場合、干渉原因通知部１２０Ｂは、アップリンクキャリアアグリゲーションにより生じる相互変調歪み（ＩＭＤ）が干渉の原因であると基地局２００に通知する。一方、アップリンク干渉がシングルキャリアアップリンク送信の高調波成分を原因とする場合、干渉原因通知部１２０Ｂは、シングルキャリアアップリンク送信の高調波成分が干渉の原因であると基地局２００に通知する。
【００７６】
具体的には、図１７に示されるように、干渉原因通知部１２０Ｂは、デバイス内共存通知"ＩｎＤｅｖｉｃｅＣｏｅｘＩｎｄｉｃａｔｉｏｎ"の情報要素"ｉｎｔｅｒｆｅｒｅｎｃｅＣａｕｓｅＵＬ"において干渉原因を通知してもよい。例えば、干渉原因がアップリンクキャリアアグリゲーションにより生じる相互変調歪みである場合、干渉原因通知部１２０Ｂは、"ｉｎｔｅｒｆｅｒｅｎｃｅＣａｕｓｅＵＬ"の値を"ｉｍｄ"に設定し、"ＩｎＤｅｖｉｃｅＣｏｅｘＩｎｄｉｃａｔｉｏｎ"を基地局２００に通知してもよい。また、干渉原因がシングルキャリアアップリンク送信の高調波成分である場合、干渉原因通知部１２０Ｂは、"ｉｎｔｅｒｆｅｒｅｎｃｅＣａｕｓｅＵＬ"の値を"ｈａｒｍｏｎｉｃｓ"に設定し、"ＩｎＤｅｖｉｃｅＣｏｅｘＩｎｄｉｃａｔｉｏｎ"を基地局２００に通知してもよい。なお、アップリンク干渉の原因は、これらに限定されるものでなく、他の何れかの原因が基地局２００に通知されてもよい。
【００７７】
以上、本発明の実施例について詳述したが、本発明は上述した特定の実施形態に限定されるものではなく、特許請求の範囲に記載された本発明の要旨の範囲内において、種々の変形・変更が可能である。
【００７８】
本出願は、２０１４年１１月７日に出願した日本国特許出願２０１４−２２７４７３号、２０１５年１月２８日に出願した日本国特許出願２０１５−０１４５５０号、２０１５年５月１４日に出願した日本国特許出願２０１５−０９８８６３号及び２０１５年８月１４日に出願した日本国特許出願２０１５−１６００９０号の優先権の利益に基づき、これを主張するものであり、２０１４−２２７４７３号、２０１５−０１４５５０号、２０１５−０９８８６３号及び２０１５−１６００９０号の全内容を本出願に援用する。
【符号の説明】
【００７９】
１０  無線通信システム
１００、１００Ａ、１００Ｂ  ユーザ装置
２００  基地局
３００  測位システム
４００  被干渉システム
【図１】
2016072443.tif 000003
【図２Ａ】
2016072443.tif 000004
【図２Ｂ】
2016072443.tif 000005
【図２Ｃ】
2016072443.tif 000006
【図３】
2016072443.tif 000007
【図４】
2016072443.tif 000008
【図５】
2016072443.tif 000009
【図６】
2016072443.tif 000010
【図７】
2016072443.tif 000011
【図８】
2016072443.tif 000012
【図９】
2016072443.tif 000013
【図１０】
2016072443.tif 000014
【図１１】
2016072443.tif 000015
【図１２】
2016072443.tif 000016
【図１３】
2016072443.tif 000017
【図１４】
2016072443.tif 000018
【図１５】
2016072443.tif 000019
【図１６】
2016072443.tif 000020
【図１７】
2016072443.tif 000021
【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
アップリンクキャリアアグリゲーション機能を有するユーザ装置であって、
基地局との無線通信を制御する無線通信制御部と、
アップリンクキャリアアグリゲーションにより干渉を受ける被干渉システムのシステム情報を前記基地局に報告する被干渉システム情報報告部と、
を有するユーザ装置。
【請求項２】
前記システム情報は、前記被干渉システムの中心周波数及び受信帯域幅を含む、請求項１記載のユーザ装置。
【請求項３】
アップリンクキャリアアグリゲーション機能を有するユーザ装置であって、
基地局との無線通信を制御する無線通信制御部と、
アップリンク干渉の原因を前記基地局に通知する干渉原因通知部と、
を有するユーザ装置。
【請求項４】
前記アップリンク干渉の原因は、アップリンクキャリアアグリゲーションにより生じる相互変調歪み、又はシングルキャリアアップリンク送信の高調波である、請求項３記載のユーザ装置。
【国際調査報告】
2016072443.tif 000022
2016072443.tif 000023
2016072443.tif 000024
2016072443.tif 000025